(57)【要約】【課題】通信端末装置において、電池温度による電池残量または使用可能時間の変化に関してユーザに違和感を持たせないようにする。【解決手段】通信端末装置１００の電源である二次電池２０１と、二次電池２０１に充電または放電される電流を計測する電流検出手段２０５と、二次電池の温度を測定する温度測定手段２０４とを備える。また、電流検出手段２０５により測定された電流と、温度測定手段２０４により測定された温度を基に、二次電池２０１の残量を算出する電池残量計測手段２０３を備える。更に、算出された電池残量と、測定された温度を取得し、温度が低温かを判定し、低温の場合に電池残量が常温の場合よりも減少していることを通知する制御手段１２０を備える。【選択図】図２
2011023978.tif 000002
【特許請求の範囲】
【請求項１】
通信端末装置の電源である二次電池と、
前記二次電池に充電または放電される電流を計測する電流検出手段と、
前記二次電池の温度を測定する温度測定手段と、
前記電流検出手段により測定された電流と、前記温度測定手段により測定された温度を基に、前記二次電池の残量を算出する電池残量計測手段と、
前記電池残量計測手段により算出された電池残量と、前記温度測定手段により測定された温度を取得し、前記温度が低温かを判定し、低温の場合に前記電池残量が常温の場合よりも減少していることを通知する制御手段とを備える
通信端末装置。
【請求項２】
請求項１記載の通信端末装置において、
前記制御手段は、前記電池残量計測手段により算出された電池残量と、前記温度測定手段により測定された二次電池の温度を取得し、前記取得した温度が低温の場合は、前記電池残量計測手段から常温の場合の電池残量を取得し、前記低温の電池残量と前記常温の電池残量から低温の場合の電池残量の減少率を算出し、算出した減少率の情報を通知する
通信端末装置。
【請求項３】
請求項１または２に記載の通信端末装置において、
前記二次電池の電池容量を、予め設定された複数の温度に対応した電池容量の情報として記録した電池容量情報を格納したメモリを備え、
前記電池残量計測手段は、前記電流検出手段により測定された電流と、前記温度測定手段により測定された二次電池の温度を基に、前記メモリに格納された電池容量情報を参照して電池残量を算出する
通信端末装置。
【請求項４】
請求項１に記載の通信端末装置において、
予め設定された複数の温度に対応した前記二次電池の電池容量と常温の場合の電池容量とを比較した場合の、電池容量の減少率に関する情報を記録した電池容量減少率情報を格納したメモリを備え、
前記制御手段は、前記温度測定手段により測定された二次電池の温度が低温の場合に、前記メモリに格納された電池容量減少率情報を参照し、測定された温度に対応する減少率の情報を通知する
通信端末装置。
【請求項５】
請求項１〜４のいずれかに記載の通信端末装置において、
前記制御手段が判定する低温とは、予め常温と設定された温度より低い温度である
通信端末装置。
【請求項６】
請求項１〜５のいずれかに記載の通信端末装置において、
少なくとも前記二次電池、前記電流検出手段、前記温度測定手段、前記電池残量計測手段は電池パック内に設けられ、
前記制御手段は通信端末装置本体に設けられている
通信端末装置。
【請求項７】
請求項１〜５のいずれかに記載の通信端末装置において、
少なくとも前記二次電池、前記温度測定手段は電池パック内に設けられ、
前記電流検出手段、前記電池残量計測手及び前記制御手段は通信端末装置本体に設けられている
通信端末装置。
【請求項８】
請求項１〜７のいずれかに記載の通信端末装置において、
表示部をさらに備え、
前記制御手段は、前記二次電池の温度が低温の場合に、常温の場合よりも電池残量が減少していることを前記表示部に表示させる
通信端末装置。
【請求項９】
請求項１〜７のいずれかに記載の通信端末装置において、
スピーカをさらに備え、
前記制御手段は、前記二次電池の温度が低温の場合に、常温の場合よりも電池残量が減少していることを前記スピーカを通じて音声で通知させる
通信端末装置。
【発明の詳細な説明】
【技術分野】
【０００１】
本発明は、例えば携帯電話端末に適用して好適な通信端末装置に係り、特に通信端末装置の電池の残容量を通知する技術に関する。
【背景技術】
【０００２】
従来の携帯電話端末などの通信端末装置では、電源となる電池の残容量に対応した使用可能時間を通信端末装置の表示部などに表示することで、ユーザに電池残量を通知している。また、電池残量は、電池の温度によって変化するため、電池の温度を測定し、測定した温度によって電池残量を補正して表示している。
【０００３】
図１に、通信端末装置で用いられる電池の一例として、リチウムイオン電池の温度毎の放電特性例を示す。図１では、電池の温度毎の放電特性を表すグラフを示しており、電池温度が４０度の特性曲線１１、２０度の特性曲線１２、０度の特性曲線１３、−１０度の特性曲線１４、−２０度の特性曲線１５のようになっている。このように、一般的にリチウムイオン電池は、温度が低いと電圧が早く下がるという性質がある。携帯電話端末などに使用されている電子回路は、その電源電圧が例えば３．４Ｖ（図１の破線１０）以上のときに動作が保証されるため、リチウムイオン電池が低温で早く電圧が下がるということは、低温の場合に使用可能な時間が短いということに等しい。
【０００４】
特許文献１には、携帯電話機に温度センサを備え、予め各温度での放電特性を基に、放電時間をテーブル値としてメモリに登録しておき、計測時点での電池温度に近いテーブルを用いて使用可能時間（電池残時間）を表示する、携帯電話機の電池の放電残時間検出方法に関する技術が開示されている。
【先行技術文献】
【特許文献】
【０００５】
【特許文献１】特開２００３−３７９４５号公報
【発明の概要】
【発明が解決しようとする課題】
【０００６】
このように、従来の通信端末装置では、測定された温度に応じて、周囲環境に応じた使用可能時間が表示されていた。ところが、同一動作モード（通話時／待ち受け時）で周囲温度が変化した場合、特に通信端末装置を低温下に持って行った場合など、急激に使用可能時間が減ったように表示される。ユーザの中には、低温下ではリチウムイオン電池の特性上、使用可能時間が温度によって減ることを知らない場合も多いため、同じ様な使用状況であるにも関わらず、急に電池がなくなったと感じることもある。
【０００７】
また、同じように充電した場合でも、温度によって使用可能時間が異なるため、ユーザによっては、違和感を持つことがある。
【０００８】
本発明はかかる点に鑑みてなされたものであり、携帯電話端末などの通信端末装置において、電池残量に応じた使用可能時間表示を行う場合に、電池温度による電池残量または使用可能時間の変化に関してユーザに違和感を持たせないようにすることを目的とする。
【課題を解決するための手段】
【０００９】
上記目的を達成するために、本発明の通信端末装置は、通信端末装置の電源である二次電池と、二次電池に充電または放電される電流を計測する電流検出手段と、二次電池の温度を測定する温度測定手段とを備える。また、電流検出手段により測定された電流と、温度測定手段により測定された二次電池の温度を基に、二次電池の残量を算出する電池残量計測手段を備える。更に、電池残量計測手段により算出された電池残量と、温度測定手段により測定された温度を取得し、温度が低温かを判定し、低温の場合に電池残量が常温の場合よりも減少していることを通知する制御手段とを備えるようにした。
【００１０】
また、上記通信端末装置の制御手段は、電池残量計測手段により算出された電池残量と、温度測定手段により測定された二次電池の温度を取得し、取得した温度が低温の場合は、電池残量計測手段から常温の場合の電池残量を取得し、低温の電池残量と常温の電池残量から低温の場合の電池残量の減少率を算出し、算出した減少率の情報を通知するようにした。
【００１１】
このようにしたことで、低温の場合に、電池残量が常温時よりも減少していることをユーザに通知できるようになる。
【発明の効果】
【００１２】
本発明により、電池温度が低温の場合には、使用可能な電池残量が減ることをユーザに提示することができる。それにより、低温下における使用可能時間の減少に対するユーザの違和感を除去することができる。
【図面の簡単な説明】
【００１３】
【図１】リチウムイオン電池の放電特性例を示すグラフである。
【図２】本発明の一実施の形態による携帯電話端末の内部構成例を示す構成図である。
【図３】本発明の一実施の形態による電池残量の計測処理例を示すフローチャートである。
【図４】本発明の一実施の形態による電池の電流の計測例を示す説明図である。
【図５】本発明の一実施の形態による温度毎の電池容量のテーブル例を表す説明図である。
【図６】本発明の一実施の形態による電池残量表示処理例を示すフローチャートである。
【図７】本発明の一実施の形態による低温情報表示例を示す説明図である。
【図８】本発明の他の実施の形態による携帯電話端末の内部構成例（２）を示す構成図である。
【発明を実施するための形態】
【００１４】
以下、本発明の実施の形態を、添付図面を参照して説明する。
【００１５】
図２に、本発明の通信端末装置の一実施の形態例として、携帯電話端末１００及び携帯電話端末に接続する電池パック２００の内部構成例を示す。図２を参照し、本発明による携帯電話端末１００及び電池パック２００の内部構成例について説明する。
【００１６】
携帯電話端末１００は、アンテナ１０１、通信回路部１０２、マイクロフォン１０３、スピーカ１０４、ユーザによる操作を行うための操作部１０６、各種表示を行う表示部１０７を備える。また、携帯電話端末１００を動作させるプログラムや電話帳などのユーザデータ等を格納するメモリ１０５、電池パック２００側とデータ通信するための通信インタフェース（ＩＦ）部１０８、これらの各部を制御する制御部１２０を備える。更に、制御部１２０による制御指令等の情報をやり取りする制御ライン１５０、各部の間でデータをやり取りするデータライン１６０を備える。
【００１７】
電池パック２００は、充電可能なリチウムイオン電池セル（素電池）２０１、過電流が流れた場合にリチウムイオン電池セル２０１を保護するための過電流保護部２０２を備える。更に、電池パック２００の内部温度を測定するためのサーミスタ２０４、リチウムイオン電池セル２０１に充電される電流や放電される電流を計測するための電流検出抵抗２０５、リチウムイオン電池セル２０１の残量を計測する電池残量計測部２０３を備える。電池残量計測部２０３には、電池残量の計測時に用いるデータ等を格納するためのメモリ２０８を備える。また、電池パックを保護するために過放電電流、過充電電流、過充電電圧、過放電電圧を検出したときに、ＦＥＴスイッチ（ＳＷ）２０６を制御するとともに、携帯電話端末１００側とデータ通信するためのインタフェース処理を行う通信インタフェース（ＩＦ）／保護制御部２０７を備える。
なお、ここでは充電可能な電池すなわち二次電池としてリチウムイオン電池を備える構成として説明しているが、これに限らず、他の二次電池を用いる構成としてもよい。
【００１８】
また、携帯電話端末１００と電池パック２００は、３つの端子により接続する。３つの端子は、携帯電話端末１００の電源１０９と接続する＋端子３０１と、グランドとなる−端子３０３と、携帯電話端末１００と電池パック２００との間のデータ通信を行うための通信端子３０２である。
【００１９】
次に、携帯電話端末１００の各部の動作、作用について説明する。
携帯電話端末１００は、アンテナ１０１を通して所定の基地局との間で無線通信を行い、通信回路部１０２は、アンテナ１０１から受信した信号を復調したり、アンテナ１０１へ送信するための信号を変調したりする。マイクロフォン１０３は、ユーザの音声を入力して音声信号とし、その音声信号は通信回路部１０２を介して送信される。また、アンテナ１０１から受信し、通信回路部１０２で信号処理された音声信号は、スピーカ１０４から出力される。
【００２０】
制御部１２０は、各種制御のための処理を行うプロセッサとしてＣＰＵ（Central Processing Unit：中央処理装置）と、ＣＰＵが処理中に利用するメモリ（ＲＡＭ（Random Access Memory）、ＲＯＭ（Read Only Memory）等）などを備える。メモリ１０５には、通常の携帯電話端末１００の操作入力受付処理、通信処理、電子メール処理、表示、音声入出力処理、電話帳管理処理等の各種動作のための制御プログラムと、電話帳などのユーザデータや各種処理に用いる固定データ等が格納されている。
制御部１２０は、メモリ１０５内に格納された各種動作のための制御プログラムとデータを参照し、制御ライン１５０を介して制御信号を各部へ出力することで、携帯電話端末１００の各種動作を制御する。なお、制御部１２０に備えるメモリとメモリ１０５は、別に設ける構成としても、同一のメモリを用いる構成としてもよい。
【００２１】
次に、電池パック２００の各部の動作、作用について説明する。
通信インタフェース（ＩＦ）／保護制御部２０７は、電池パック２００内の電流、電圧値を監視し、過放電電流・過充電電流・過充電電圧・過放電電圧を検出したときに、ＦＥＴスイッチ（ＳＷ）２０６を制御して回路を遮断し、電池パック２００を保護する。更に、過電流保護部２０２は、リチウムイオン電池セル２０１に流れる過電流を監視し、過電流を検出した場合にリチウムイオン電池セル２０１への電流を遮断することで、リチウムイオン電池セル２０１を保護する。このように、通信インタフェース（ＩＦ）／保護制御部２０７と過電流保護部２０２の２重の保護装置を設けることで、異常発生時に確実に電池を保護できる構成としている。
【００２２】
電池残量計測部２０３は、電流検出抵抗２０５により検出された電流値と、サーミスタ２０４により測定された電池パック２００の内部温度を入力し、それを基にリチウムイオン電池セル２０１の残量計測を行う。電池残量計測部２０３で計測された電池残量は、通信ＩＦ／保護制御部２０７を介して携帯電話端末１００側の通信ＩＦ部１０８から制御部１２０へ入力され、表示部１０７等に表示される。
なお、電池残量計測部２０３は、通信ＩＦ／保護制御部２０７を介して通信端子３０２と接続し、携帯電話端末１００側の通信ＩＦ部１０８と接続してデータの送受信を行う。ここで、通信端子３０２に流れるデータは、デジタル信号であり、データを正しく認識させるためには、当該信号の電圧を携帯電話端末１００側の対象回路の電圧と電池パック２００側の対象回路の電圧に変換する必要がある。そのため、通信ＩＦ／保護制御部２０７では、送受信するデジタル信号の電圧を、携帯電話端末１００側の通信ＩＦ部１０８及び電池パック２００側の電池残量計測部２０３のそれぞれの定格電圧値に電源変換を行う。
【００２３】
次に、電池残量計測部２０３による電池残量の計測方法について説明する。
電池残量計測部２０３による電池残量の計測は、従来行われている一般的なものである。例えば、リチウムイオン電池セル２０１の電流の出し入れを測定して、その電流値から電池残量を算出し、リチウムイオン電池セル２０１の温度や電圧を測定して、電池残量の温度補正や電圧補正を行うものである。
電池残量の測定に用いる電流値は、電流検出抵抗２０５の両端の電位差を測定し、その電位差を抵抗値で割り算処理することでリチウムイオン電池セル２０１の電流の出し入れとして測定する。また、リチウムイオン電池セル２０１の近傍に配置されたサーミスタ２０４を用いて電池パック２００内の温度を測定する。サーミスタ２０４をリチウムイオン電池セル２０１に接する位置または、電池セルに隣り合う位置等に設けることにより、リチウムイオン電池セル２０１本体の温度とほぼ同等の温度が測定できる。また、リチウムイオン電池セル２０１の電圧は、電池残量計測部２０３により測定する。これらの電流、電圧、温度のデータから、電池残量を算出する。
【００２４】
図３に、電池残量計測部２０３による電池残量の計測処理例を表すフローチャートを示す。電池残量計測部２０３は、予め定められた時間（以下、サンプリング時間と呼ぶ）毎に、定周期にリチウムイオン電池セル（以降、電池セルと称す）の電流、電圧、温度などの情報を測定し、その情報を基に電池セルの残容量を算出する。電池残量は、一般に、充電完了時点を起点として、充電完了時の電池容量から算出時点までの使用容量を減算することで求められる。以下に、図３を参照して、電池残量計測部２０３による電池残量の計測処理例について説明する。
【００２５】
まず、電池残量計測部２０３は、サンプリング間隔（ｄ）毎に電池セルの電圧値、電流値を測定する（ステップＳ３０１）。電池セルの電流値は、電流検出抵抗２０５により検出された電流値を入力する。図４に、電流値の計測例を示す。図４では、電池セルの負荷電流波形（ＬＩ）４１と計測電流波形（Ｉ（ｔ））４２の例を示している。携帯電話端末では、通話時や待ち受け時など、その時の使用状態により、負荷電流が変化する。そのため、電流検出抵抗２０５により電池セルの負荷電流を測定し、その値を予め設定されたサンプリング間隔（ｄ）毎に計測し、計測電流（Ｉ（ｔ））とする。ここで、サンプリング時間（ｔ）は、充電が完了した時点（ｔ＝０）を起点とした時間として表し、サンプリング毎にｔ＋１、ｔ＋２…ｔ＋ｎとなる。なお、サンプリング間隔（ｄ）は、例えば１秒などの周期で計測する。
【００２６】
次に、電池残量計測部２０３は、測定した電圧値、電流値を基に、サンプリング時間毎の電池の使用容量を算出する（ステップＳ３０２）。１サンプリング周期当たりの電池の使用容量（ｄＱ（ｔ）［ｍＡｈ］）は、計測電流値（Ｉ（ｔ）［ｍＡ］）とサンプリング間隔（ｄ［ｈ］（hour換算））との積で算出される。
１サンプリング周期当たりの電池の使用容量：
ｄＱ（ｔ）［ｍＡｈ］＝Ｉ（ｔ）［ｍＡ］×ｄ［ｈ］
【００２７】
次に、電池セルの温度（Ｔ）を基に、電池の残容量を算出する（ステップＳ３０３）。サンプリング時間（ｔ）における電池の残容量（Ｑ（Ｔ，ｔ））は、１周期前に算出した残容量（Ｑ（Ｔ，ｔ−１））から当該周期の電池の使用容量（ｄＱ（ｔ））を減算することで算出される。
電池の残容量：Ｑ（Ｔ，ｔ）［ｍＡｈ］＝Ｑ（Ｔ，ｔ−１）−ｄＱ（ｔ）
ここで、サンプリング時間（ｔ）が充電完了した時点（ｔ＝０）の場合、電池の残容量は、温度Ｔにおける電池容量となる。
ｔ＝０時点の電池の残容量：Ｑ（Ｔ，０）［ｍＡｈ］＝電池容量（Ｔ）［ｍＡｈ］
以上により、電池の残容量は、充電完了時点の電池容量から、サンプリング時間（０〜ｔ）までの電池の使用容量（ｄＱ）の積算値を減算したものと同等と考えられる。
電池の残容量：Ｑ（Ｔ，ｔ）［ｍＡｈ］＝Ｑ（Ｔ，ｔ−１）−ｄＱ（ｔ）
＝電池容量（Ｔ）−ΣｄＱ（ｔ）
なお、電池容量（Ｔ）は、例えば、温度毎の電池容量を予めテーブルデータとしてメモリ２０８に保存しておき、そのデータを参照することにより取得する。
【００２８】
図５に、温度毎の電池容量を表すテーブル例を示す。図５は、リチウムイオン電池を満充電条件（＊１：例えば、電池電圧＞４．０Ｖ、充電電流＜５０ｍＡ）で充電完了した場合の、電池容量をテーブルデータとして定義した例である。ここで、図１の電池の放電特性で示したように、温度（Ｔ）によって電池容量が異なるため、充電完了時点における電池容量テーブルも温度（Ｔ）に対応した電池容量を定義している。
図５の電池容量テーブルのデータ構成例としては、代表温度５０１、適用温度範囲５０２、電池容量５０３から構成する。ここで、適用温度範囲の温度における電池容量は、代表温度での電池容量とし、その電池容量は、代表温度における放電特性を基に、使用下限電圧（例えば、電池電圧３．４Ｖ）までの電池容量を算出して定義する。
なお、図５に示した電池容量は一例であり、電池の種類や特性によってその値が異なるため、適用する電池セルに対応したテーブルを定義しておく。
【００２９】
本テーブルを参照して電池残量を計算する時には、測定温度（Ｔ）を基にテーブルを参照し、測定温度（Ｔ）が含まれる適用温度範囲を検索し、その温度範囲に該当する電池容量を用いて電池残量を算出する。
【００３０】
最後に、電池残量計測部２０３は、算出した電池の使用容量、残容量データ、測定温度などの情報をメモリ２０８に保存して処理を終了する（ステップＳ３０４）。そして、ステップＳ３０１〜Ｓ３０４の処理をサンプリング間隔（ｄ）毎に繰り返し実行することで、時間や、使用条件により変化する電池の残容量を計測することができる。また、この計測結果を基に、携帯電話端末１００の表示部１０７等に電池の残容量または、電池の残容量に対応した使用可能時間等の情報を表示することで、ユーザに通知することができる。
【００３１】
以上説明した電池残量計測部２０３による電池残量の計測方法は、電池残量計測の一例であり、その他の方法で計測することも可能である。ここでは、図１に示した電池の放電特性を基に、代表的な温度に対する電池容量を予めテーブルデータとしてメモリ２０８に蓄積しておき、この電池容量を参照して電池残量を算出する方法としているが、テーブルデータを用いない計測方法でもよい。例えば、図１に示した電池の放電特性データをメモリに保存しておき、その放電特性データに基づいて都度、電池容量を得るようにしてもよい。
【００３２】
次に、制御部１２０による低温時の電池残量表示処理について説明する。
図６に、制御部１２０による電池残量表示処理例を表すフローチャートを示す。制御部１２０では、電池残量計測部２０３による電池残量の計測結果と、温度情報を取得し、低温の場合に電池残量に関する情報をユーザに通知する処理を行う。
【００３３】
まず、制御部１２０は、通信ＩＦ部１０８を介して電池残量計測部２０３から電池パックの内部温度（Ｔ）を取得する（ステップＳ６０１）。次に、制御部１２０は、通信ＩＦ部１０８を介して電池残量計測部２０３から電池の残容量（Ｑ（Ｔ，ｔ））を取得する（ステップＳ６０２）。次に取得した温度（Ｔ）が低温か否かを判定する（ステップＳ６０３）。なお、ここで、温度が低温かを判定する場合の条件は、例えば、予め常温とする温度を設定しておき、温度（Ｔ）が常温より低い場合を低温としてもよい。また、ある、一定周期前に計測された温度と比較し、温度がｎ度（例えば５度）以上低下した場合を低温としてもよい。また、これら複数の条件の組み合わせで低温を判定してもよい。このようにした場合、以降の処理ステップにおいて、常温時又はユーザの通常使用環境における携帯電話端末の電池パックの内部温度と比較した当該携帯電話端末の電池残容量及びその減少率を得ることができる。
【００３４】
ステップＳ６０３の判定の結果、温度が低温の場合は次の処理を実行し、低温でない場合は本処理を終了する。温度が低温の場合、制御部１２０は、通信ＩＦ部１０８を介して電池残量計測部２０３に対して常温（ＲＴ）時の電池残量（Ｑ（ＲＴ，ｔ））を算出するよう要求し、その計算結果を取得する（ステップＳ６０４）。なお、常温（ＲＴ）は、例えば２０度として予め設定しておく。次に、制御部１２０は、温度（Ｔ）における電池残容量の常温（ＲＴ）からの減少率を算出する（ステップＳ６０５）。最後に算出された減少率を基に、表示部１０７等に低温に関する情報を出力する（ステップＳ６０６）。低温に関する情報は、現在の電池の温度、電池の残容量（使用可能時間）が常温時よりも何％減っている等などの情報である。また、それらの情報をスピーカ１０４に音声情報として出力してもよい。
【００３５】
以上説明した、制御部１２０による低温時の電池残量表示処理は、予め決められた時間毎に繰り返し実行する。その時間は、例えば、電池残量計測部２０３による電池残量の計測処理の実行周期であるサンプリング間隔（ｄ）と同期させるようにしてもよい。
【００３６】
上記処理では、低温時の電池の残容量に対する常温時の電池の残容量を電池残量計測部２０３から取得するようにしたが、図５に示した、温度毎の電池容量テーブルの情報を携帯電話端末１００のメモリ１０５に登録し、それを参照して処理してもよい。その場合、制御部１２０は、電池残量計測部２０３から温度情報（Ｔ）を取得し、その温度（Ｔ）が低温の場合、制御部１２０がメモリ１０５を参照して低温時（温度＝Ｔ）の電池容量と、常温時（温度＝ＲＴ）の電池容量を取得する。そして、その値を基に電池容量の減少率を算出する。この場合の減少率αは、例えば、下記式で算出する。
減少率：α［％］＝｛１−電池容量（Ｔ）／電池容量（ＲＴ）｝×１００％
【００３７】
また、温度が低温の場合の常温からの電池残量の減少率に関する情報を予めテーブルデータとしてメモリ２０５もしくはメモリ１０５に登録しておき、その情報を参照することにより減少率を求める処理としてもよい。常温は、例えば２０度とし、電池パックの内部温度が低温の場合の温度を例えば、１５度、１０度、５度、０度、−５度のように設定し、その各温度に対する電池残量の減少率を予めテーブルデータとして登録しておき、制御部１２０がその情報を参照して処理するようにしてもよい。このようにした場合、制御部１２０に対し、二次電池の温度（Ｔ）における電池残容量の常温からの減少率を計算する負荷を軽減することができる。
【００３８】
図７に、携帯電話端末１００の表示部１０７への低温時の低温情報の表示例を示す。図７では、電池残量の割合を数値で表示する残量表示部７０１と、電池残量の割合をインジケータで表示する残量インジケータ表示部７０２を設け、電池残量計測部２０３により計測された電池残量を基に表示する。
電池パックの内部温度が低温の場合は、上記電池残量の表示に加えて低温に関する情報を表示する。例えば、ユーザに注意喚起するための通知メッセージとして、「電池の温度が低いため、使える時間が減っています」等のメッセージ７０３を表示する。
また、電池の状態に関する補足情報として、電池の温度や、電池容量の常温からの減少率等の情報を電池の状態情報表示７０４として表示する。
なお、図７の表示例は、その一例であり、この他の表示方法で表示してもよい。
【００３９】
このように、本発明の一実施の形態例では、電池温度が低温の場合に、通常の電池残量の表示の他に、低温に関する参考情報を表示することができるため、ユーザが電池残量の温度による変化を容易に認識することができる。その結果、低温に伴う電池残量（使用可能時間）の減少が発生した場合に、その状況をユーザが正しく把握できるとともに、電池切れ等への対策を事前に取ることができるため、電池切れ等のトラブルを未然に防止することができる。
【００４０】
図８に、本発明の他の実施の形態例としての携帯電話端末の構成例を示す。図８を参照し、本発明の他の実施の形態による携帯電話端末１００ａ及び電池パック２００ａの構成及び、各部の動作について説明する。なお、図２で説明した、本発明の一実施の形態例としての、携帯電話端末１００及び電池パック２００の内部構成例と同等の構成部については、同じ符号を付し、説明を省略する。
【００４１】
携帯電話端末１００ａは、アンテナ１０１、通信回路部１０２、マイクロフォン１０３、スピーカ１０４、電話をかけたりメールを作成したりするための操作部１０６、各種表示を行う表示部１０７を備える。また、携帯電話端末１００ａを動作させるプログラムや電話帳などのユーザデータを格納するメモリ１０５、これらの各部を制御する制御部１２０を備える。更に、制御部１２０による制御指令等の情報をやり取りする制御ライン１５０、各部の間でデータをやり取りするデータライン１６０を備える。また、リチウムイオン電池セルの残量計測を行う電池残量計測部２０３ａと、リチウムイオン電池セルに充電される電流や放電される電流を計測するための電流検出抵抗２０５ａを備える。
【００４２】
電池パック２００ａは、リチウムイオン電池セル（素電池）２０１、過電流が流れた場合にリチウムイオン電池セル２０１を保護するための過電流保護部２０２を備える。また、電池パックを保護するために過放電電流・過充電電流・過充電電圧・過放電電圧を検出したときに、ＦＥＴスイッチ（ＳＷ）２０６を制御する保護制御部２０７ａを備える。更に、電池パック２００ａの内部温度を測定するためのサーミスタ２０４を備える。
【００４３】
また、携帯電話端末１００ａと電池パック２００ａは、３つの端子により接続する。各端子は、携帯電話端末１００ａの電源１０９と接続する＋端子３０１と、電流検出抵抗２０５ａに接続し、グランドとなる−端子３０３と、携帯電話端末１００ａと電池パック２００ａとの間のデータ通信を行うための温度検出端子３０４である。
【００４４】
本発明の他の実施の形態例では、リチウムイオン電池セル２０１の残量計測を行う電池残量計測部２０３ａと、リチウムイオン電池セル２０１に流れる電流を計測するための電流検出抵抗２０５ａを携帯電話端末１００ａ内に備える。そして、電池残量計測部２０３ａは、携帯電話端末１００ａと電池パック２００ａとを接続する＋端子３０１、−端子３０３及び温度検出端子３０４に接続する。また、電流検出抵抗２０５ａは、−端子３０３に接続し、電池パック２００ｂへ流れる充電電流または放電電流を計測する。
【００４５】
電池残量計測部２０３ａは、電流検出抵抗２０５ａにより検出された電流値と、電池パック２００ａ側に設けられたサーミスタ２０４により測定された電池パックの内部温度を温度検出端子３０４を介して入力し、それを基にリチウムイオン電池セル２０１の残量計測を行う。電池残量計測部２０３ａで計測された電池残量は、制御ライン１５０を介して制御部１２０へ入力され、携帯電話端末１００ａの表示部１０７等に表示される。
なお、電池残量計測部２０３ａにおける電池残量の計測処理は、図３で説明したものと同等である。
【００４６】
次に、制御部１２０による低温時の電池残量表示処理について説明する。本発明の他の実施の形態例においても、制御部１２０は、電池残量計測部２０３ａによる電池残量の計測結果と、温度情報を取得し、低温の場合に電池残量に関する情報をユーザに通知する処理を行う。
制御部１２０による電池残量表示処理は、図６に示したフローチャートの処理とほぼ同等であるが、電池残量計測部２０３ａが同じ携帯電話端末１００ａ内に位置しているため、制御ライン１５０を介して直接データのやり取りを行うことができる。また、電池残量計測部２０３ａは、各処理で使用するデータを電池残量計測部２０３ａ内のメモリ２０８に格納するが、メモリ１０５を用いる構成としてもよい。例えば、電池の残容量を算出するために用いる温度毎の電池容量テーブルの情報（図５参照）や、電池残量計測部２０３ａが算出した電池の使用容量と残容量データ等の情報は、メモリ２０８に保存して処理するが、これらのデータを携帯電話端末１００ａに備えるメモリ１０５に保存して処理してもよい。その場合、電池残量計測部２０３ａ内にはメモリ２０８を設けず、メモリ１０５を用いる構成としてもよい。
【００４７】
このように、本発明の他の実施の形態例では電池残量計測部２０３ａを携帯電話端末１００ａ側に設ける構成とするため、電池パック２００ａは、従来用いられていた電池パックと同等の構成のままで、本発明の一実施の形態例と同等の効果が得られる。
【００４８】
なお、ここまで説明した実施の形態では、本発明の通信端末装置を携帯電話端末に適用した例を挙げたが、これに限定されるものではない。例えば、一次電池または二次電池を用いる端末装置において、その電池の容量に関する情報を表示する機能を有するものであれば、ＰＤＡ（Personal Digital Assistants）やゲーム機等の他の装置に適用してもよい。
【符号の説明】
【００４９】
１００、１００ａ…携帯電話端末、２００、２００ａ…電池パック、１０１…アンテナ、１０２…通信回路部、１０３…マイクロフォン、１０４…スピーカ、１０５…メモリ、１０６…操作部、１０７…表示部、１０８…通信インタフェース（ＩＦ）部、１０９…電源、１２０…制御部、１５０…制御ライン、１６０…データライン、２０１…リチウムイオン電池セル、２０２…過電流保護部、２０３、２０３ａ…電池残量計測部、２０４…サーミスタ、２０５、２０５ａ…電流検出抵抗、２０６…ＦＥＴスイッチ、２０７…通信インタフェース（ＩＦ）／保護制御部、２０７ａ…保護制御部、２０８…メモリ、３０１…＋端子、３０２…通信端子、３０３…−端子、３０４…温度検出端子
【図１】
2011023978.tif 000003
【図２】
2011023978.tif 000004
【図３】
2011023978.tif 000005
【図４】
2011023978.tif 000006
【図５】
2011023978.tif 000007
【図６】
2011023978.tif 000008
【図７】
2011023978.tif 000009
【図８】
2011023978.tif 000010